(57)【要約】雌ハウジングと雄ハウジングの係合を保証するための小型コネクタ位置保証（ＣＰＡ）部材を備えた電気コネクタである。雌ハウジングは、小型ＣＰＡ部材を安定して確実に受容するように設計された開口部を形成している。また、雌ハウジングは、雌ハウジングと雄ハウジングを確実に保持するために使用されるコネクタラッチを含む。
2021514525.tif 000002
【特許請求の範囲】
【請求項１】
少なくとも第１の開口部及びコネクタラッチを形成している、第１のハウジングと、
第１のアームと、前縁と、第２の開口部と、移動可能な中央ビーム上の前先端と、を有する、コネクタ位置保証部材と、を備え、
前記第１のアームは、前記第１の開口部によって受け入れられるように構成されており、前記前先端は、前記コネクタラッチと係合するように、かつ前記第２の開口部に向かって移動されるように構成されている、コネクタ。
【請求項２】
前記第１の開口部は、第１の上部開口部に対応しており、
前記第１のハウジングは、第１の下部開口部と、第２の上部開口部と、第２の下部開口部とを形成しており、
前記コネクタ位置保証部材は、第１の上部アームと、第１の下部アームと、第２の上部アームと、第２の下部アームとを有し、
前記第１の上部アームは、前記第１の上部開口部によって受け入れられるように構成されており、
前記第１の下部アームは、前記第１の下部開口部によって受け入れられるように構成されており、
前記第２の上部アームは、前記第２の上部開口部によって受け入れられるように構成されており、
前記第２の下部アームは、前記第２の下部開口部によって受け入れられるように構成されている、請求項１に記載のコネクタ。
【請求項３】
前記第１の上部アームは第１の面を有し、
前記第１の上部開口部は第１の面を有し、
前記第１の上部アームの前記第１の面は、前記第１の上部開口部の前記第１の面と係合するように構成されている、請求項２に記載のコネクタ。
【請求項４】
前記第１のハウジングは「Ｔ」字型案内部材を有し、
前記コネクタ位置保証部材は「Ｔ」字型開口部を形成しており、
前記「Ｔ」字型案内部材は前記「Ｔ」字型開口部によって受け入れられるように構成されている、請求項３に記載のコネクタ。
【請求項５】
前記第１のハウジングは突起を形成しており、
前記前縁は、前記コネクタ位置保証部材がプリセット位置にあるとき、前記突起と係合しているように構成されている、請求項４に記載のコネクタ。
【請求項６】
前記コネクタラッチはラッチ面を有し、
前記前先端は、前記コネクタ位置保証部材が前記プリセット位置にあるとき、前記ラッチ面と係合しているように構成されている、請求項５に記載のコネクタ。
【請求項７】
前記前先端は、前記コネクタ位置保証部材が前記プリセット位置にあるとき、前記ラッチ面の第１の側面と係合しているように構成されており、
前記前先端は、前記コネクタ位置保証部材がセット位置にあるとき、前記ラッチ面の第２の側面と係合しているように構成されている、請求項６に記載のコネクタ。
【請求項８】
前記前縁は、前記コネクタ位置保証部材が前記セット位置にあるとき、前記突起から間隔を置かれている、請求項７に記載のコネクタ。
【請求項９】
少なくとも前端及び上端を有する第２のハウジングをさらに備え、
第１の開口部が前記第２のハウジングの前記前端に形成されており、
第２の開口部が前記第２のハウジングの前記上端に形成されており、
前記第２のハウジングの前記第１の開口部は、前記第１のハウジングを受け入れるように構成されており、
前記前先端及び前記ラッチ面は、前記コネクタ位置保証部材が前記セット位置にあるとき、前記第２のハウジングの前記第２の開口部にあるように構成されている、請求項８に記載のコネクタ。
【請求項１０】
部材の第１のアームを、第１のハウジングの第１の開口部内に受け入れることと、
前記部材の前縁を、前記第１のハウジングの突起と係合させることと、
前記部材の中央ビームの前先端を、前記第１のハウジングのコネクタラッチと係合させることと、前記前先端を、前記部材の第２の開口部に向かって移動することと、を含む、第１のハウジングを部材と嵌合する方法。
【請求項１１】
第１の上部アームを、第１の上部開口部内に受け入れることであって、前記第１のアームは前記第１の上部アームに対応しており、前記第１の開口部は前記第１の上部開口部に対応しており、
第１の下部アームを、第１の下部開口部内に受け入れることであって、前記部材は前記第１の下部アームを有し、前記第１のハウジングは前記第１の下部開口部を形成しており、
第２の上部アームを、第２の上部開口部内に受け入れることであって、前記部材は前記第２の上部アームを有し、前記第１のハウジングは前記第２の上部開口部を形成しており、
第２の下部アームを、第２の下部開口部内に受け入れることであって、前記部材は前記第２の下部アームを有し、前記第１のハウジングは前記第２の下部開口部を形成していること、をさらに含む、請求項１０に記載の方法。
【請求項１２】
前記第１のアームの第１の面及び前記第１の開口部の第１の面を係合させること、をさらに含む、請求項１０に記載の方法。
【請求項１３】
前記第１のハウジングの「Ｔ」字型案内部材を、前記部材によって形成された「Ｔ」字型開口部内に受け入れること、をさらに含む、請求項１０に記載の方法。
【請求項１４】
前記部材は、前記部材の前記前縁が前記第１のハウジングの前記突起と係合しているとき、プリセット位置にある、請求項１０に記載の方法。
【請求項１５】
前記第１のハウジングの端部を、第２のハウジングによって形成された第１の開口部内に受け入れることと、
前記前先端及び前記コネクタラッチを、前記第２のハウジングによって形成された第２の開口部にあるように配置することと、をさらに含む、請求項１０に記載の方法。
【請求項１６】
少なくとも開口部及びコネクタラッチを形成しているハウジングと、
移動可能な中央ビーム上に前先端を有し、かつ開口部を有する部材と、
を備え、
前記部材は、前記ハウジングの前記開口部内に受け入れられるように構成されており、前記前先端は、前記コネクタラッチと係合するように、かつ前記部材の前記開口部に向かって移動されるように構成されている、コネクタ。
【請求項１７】
前記ハウジングは突起を有し、
前記部材は前縁を有し、
前記前縁は、前記部材が前記プリセット位置にあるとき、前記突起と係合している、請求項１６に記載のコネクタ。
【請求項１８】
前記前縁は、前記部材がセット位置にあるとき、前記突起から間隔を置かれている、請求項１７に記載のコネクタ。
【請求項１９】
前記前先端は、前記部材がプリセット位置にあるとき、前記コネクタラッチの第１の側面と係合しているように構成されており、
前記前先端は、前記部材がセット位置にあるとき、前記コネクタラッチの第２の側面と係合しているように構成されている、請求項１６に記載のコネクタ。
【請求項２０】
前記ハウジングは「Ｔ」字型案内部材を有し、
前記部材は「Ｔ」字型開口部を形成しており、
前記「Ｔ」字型案内部材は、前記「Ｔ」字型開口部によって受け入れられるように構成されている、請求項１６に記載のコネクタ。
【発明の詳細な説明】
【技術分野】
【０００１】
［関連出願の相互参照］
この特許出願は、２０１８年３月１２日に提出された米国特許仮出願第６２／６４１６０１号明細書に対する優先権を主張し、ここに、その全体が参照により本明細書に組み込まれるものとする。
【０００２】
本発明は、全体として雌ハウジング、コネクタ位置保証（ｃｏｎｎｅｃｔｏｒ  ｐｏｓｉｔｉｏｎ  ａｓｓｕｒａｎｃｅ：ＣＰＡ）部材、及び雄ハウジングを有する電気コネクタ装置に関する。
【発明の概要】
【課題を解決するための手段】
【０００３】
本発明は、全体として雌コネクタ組立体及び雄コネクタ組立体を有する電気コネクタ装置に関する。雌コネクタ組立体は、少なくとも雌ハウジング及び高性能なコネクタ位置保証（ＣＰＡ）部材を備える。雄コネクタ組立体は、少なくとも雄ハウジングを備える。雌コネクタ組立体及び雄コネクタ組立体は、一緒に嵌合されることができる。
【０００４】
本発明のＣＰＡ部材は、雄ハウジングと雌ハウジングとの係合を保証することによって利点をもたらす。雌ハウジングは、電気コネクタ装置をまとめてしっかりと保持するために使用される、コネクタラッチをさらに備える。端子位置保証（Ａ  ｔｅｒｍｉｎａｌ  ｐｏｓｉｔｉｏｎ  ａｓｓｕｒａｎｃｅ：ＴＰＡ）部材は、電気コネクタ装置用の端子が適切に位置づけられることを保証するために雌ハウジング内に挿入されることができる。
【０００５】
電気コネクタ装置は、いくつかの望ましい特性を示す。ここで、この電気コネクタ装置は、本発明の雌ハウジング、雄ハウジング、本発明のＣＰＡ部材、及び本発明のコネクタラッチを有する。例えば、望ましい特徴の１つは、本発明のＣＰＡ部材及び雌ハウジングが雄のインライン及び／又はヘッダに対して変更を必要とすることなく、既存の雄ハウジングと共に使用可能であることである。
【０００６】
またさらに、望ましい特徴の１つは、本発明のＣＰＡ部材及び雌ハウジングが雄ハウジングの全体的な形状に対して変更を必要とすることなく、既存の雄ハウジングと共に使用可能であることである。
【０００７】
高性能のＣＰＡ部材の利点を未だ有していないいくつかの既存の雄ハウジングがある。すなわち、これらの既存の雄ハウジングは、高性能のＣＰＡ部材を収容できる構成を有しない。したがって、これらの既存の雄ハウジングは、高性能のＣＰＡ部材によって与えられる雄ハウジングと雌ハウジングとの係合の有利な保証を有しない。
【０００８】
本明細書で開示されている本発明の原理によれば、高性能のＣＰＡ部材を収容するために雌ハウジングの少なくともいくつかの内部構造が改変されており、一方、雌ハウジングの少なくともいくつかの外部構造は改変されていない。改変されなかった雌ハウジングの外部構造が理由で、本発明の雌ハウジング、及び本発明の高性能のＣＰＡ部材は、既存の雄ハウジングと共に使用されることができる。したがって、既存の雄ハウジングは、たとえ改変がされる場合でも、広範囲に改変される必要はなく、既存の雄ハウジングは、本発明の雌ハウジング及び本発明のＣＰＡ部材と共に使用されることができる。このことは有利である。以前は高性能のＣＰＡ部材と共に使用されていなかった既存の雄ハウジングが今やこのようなＣＰＡ部材と共に使用されるという利点を有することができるからである。
【０００９】
本発明の雌ハウジングは、既存の雄ハウジングとよく適合する形状を有するように特別に設計されて作られており、同時にまた高性能のＣＰＡ部材を収容できる開口部及び／又はスロットなどの特徴も有する。
【００１０】
本発明のＣＰＡ部材は高性能であり、本発明の雌ハウジング及び上記の既存の雄ハウジングとよく適合する形状及び特徴を有するように特別に設計されて作られている。
【００１１】
本発明の他の望ましい特徴は、雌コネクタ組立体と雄ハウジングが一緒に嵌合されるときに格別に大きな音である可聴「クリック」音があることと、小型のコネクタ位置保証（ＣＰＡ）部材と、小型のコネクタラッチと、コネクタラッチが永久的にセットされることに対する抵抗を示すことと、ＣＰＡ部材の最終ロック位置への移動に対する抵抗を示すことと、適度な量の補強と、相互の保持と、良好な機械的強度と、特徴部が容易に成形されることと、ユーザによる２次的な操作が必要とされないことと、故障防止手段と、ラッチ形状の良好な寸法管理と、である。
【００１２】
ＣＰＡ部材がその輸送中に雌ハウジングに接続するために利用可能にされていることを確実にするために、例えば、ＣＰＡ部材はプリセット位置で雌ハウジングに係合されている。
【００１３】
ＣＰＡ部材が最終ロック位置に配置されると、雄ハウジングと雌コネクタ組立体が互いに係合して、それらの係合が保証される。
【００１４】
電気コネクタが可聴「クリック」音を有することは望ましい特質である。例えば、自動車の電気コネクタの構成要素が完全に互いに嵌合されているとき、それらの構成要素が完全に嵌合されていることの簡便な保証のために、可聴「クリック」音を有することは望ましい特質である。自動車のコネクタの分野では、格別に大きな音が好ましい。「クリック」音は、例えば、ラッチ特徴部の相互作用によって実現できる。ラッチ特徴部をプレロードされた状態に置くことによって、第１のコネクタ組立体と第２のハウジングが一緒に嵌合されるとき、さらなる力があり、そのさらなる力は、ラッチ特徴部がプレロードされた状態になかった場合よりも「クリック」音がより大きくなるために役立つ。
【００１５】
コネクタラッチが小型であることは、望ましい特質である。非偏向位置でコネクタラッチを製造することによって、コネクタラッチが誤った方向にこじられて損傷するのを防ぐための過大応力保護機能を作るために必要とされる間隙が不要になる。ラッチシステムの全体の高さからこの間隙を除くことができ、そのためコネクタラッチを小型化できる。
【００１６】
セットされることに対する抵抗を有することは、望ましい特質である。例えば、自動車のワイヤハーネスが輸送のために束ねられているとき、コネクタラッチが非意図的に圧迫されて、偏向位置で保持される可能性がある。この状態によって、特に高温環境において、永久ひずみとも呼ばれるコネクタラッチが永続的に曲がることが引き起こされ、そのようにしてコネクタラッチが役に立たなくなるか効果を減じることになる。コネクタラッチをプレロードすることによって、コネクタラッチはこの故障の仕方に対してより耐性を有するようになる。
【００１７】
ラッチ形状の良好な寸法管理を有することは、望ましい特質である。寸法的に安定した特徴部に対してコネクタラッチをプレロードすることによって、コネクタラッチ特徴部の高さを容易に管理することができる。
【００１８】
コネクタラッチが製造された後、そのコネクタラッチは非偏向位置にある。次に、コネクタラッチは、嵌合前の偏向工程に置かれる。コネクタラッチを偏向し、そのコネクタラッチをプレロード位置でロックするためである。嵌合前の偏向工程が完了した後、コネクタラッチはプレロード位置でロックされるのであり、プレロードされたコネクタラッチと呼ばれることができる。
【００１９】
第１のコネクタ組立体と第２のハウジングが互いに係合するとき、コネクタラッチが可聴「クリック」音を生じさせるから、それらの係合が保証される。第１のコネクタ組立体は、コネクタと呼ばれることができ、例えば、少なくとも、第１のハウジング及びコネクタ位置保証部材を備えることができる。第１のコネクタ組立体は、例えば、雌コネクタ組立体、又は他のタイプのコネクタ組立体に対応することができる。第１のハウジングは、例えば、雌ハウジング、又は他のタイプのハウジングに対応することができる。第２のハウジングは、例えば、雄ハウジング、又は他のタイプのハウジングに対応することができる。非偏向位置はまた、伸びて、かつ弛緩した非偏向位置、とも呼ばれることができる。
【００２０】
ＣＰＡ部材は、少なくとも、例えば、ＣＰＡ部材がハウジング内に挿入されるときに、システムの完全な潜在的力、及び望ましい可聴「クリック」音を実現するのに役立つことと、輸送中及び／又は取扱い中に、ＣＰＡ部材が最終ロック位置（又は「セット」位置）に移動されるのを避けるのに役立つことと、ユーザによる２次的な操作を必要としないことと、故障を防止するのに役立つことと、を含む、いくつかの望ましい特性をもたらす。
【００２１】
本発明のさらなる特徴、利点、及び実施形態は、以下の詳細な説明、図面、及び特許請求の範囲に示されるか、それらを考慮することによって明らかになる。さらにその上、前述の発明の概要と、以下の詳細な説明は、両方とも例示であり、特許請求の範囲に記載されている本発明の範囲を限定することなく、さらなる説明を提供するように意図されていることが理解されるであろう。
【図面の簡単な説明】
【００２２】
【図１】本発明の原理による、雌ハウジングの斜視図である。
【図２】図１の雌ハウジングの斜視図である。
【図３】図１の雌ハウジングの斜視図である。
【図４】図１の雌ハウジングの前端立面図である。
【図５Ａ】図１の雌ハウジングの前端立面図である。
【図５Ｂ】図５Ａの雌ハウジングの５Ｂ−５Ｂ線に沿った断面図である。
【図５Ｃ】図５Ａの雌ハウジングの５Ｂ−５Ｂ線に沿った斜視図である。
【図６Ａ】図１の雌ハウジングの前端立面図である。
【図６Ｂ】図６Ａの雌ハウジングの６Ｂ−６Ｂ線に沿った断面図である。
【図６Ｃ】図６Ａの雌ハウジングの６Ｂ−６Ｂ線に沿った斜視図である。
【図７】ＴＰＡ部材及びＣＰＡ部材を伴う、図１の雌ハウジングの斜視図である。
【図８Ａ】ＴＰＡ部材及びＣＰＡ部材を伴う、図１の雌ハウジングの後端立面図である。
【図８Ｂ】図８Ａの雌ハウジングの８Ｂ−８Ｂ線に沿った断面図である。
【図９Ａ】ＴＰＡ部材及びＣＰＡ部材を伴う、図１の雌ハウジングの後端立面図である。
【図９Ｂ】図９Ａの雌ハウジングの９Ｂ−９Ｂ線に沿った断面図である。
【図１０Ａ】雄ハウジングを伴う、図１の雌ハウジングの後端立面図である。
【図１０Ｂ】図１０Ａの雌ハウジング及び雄ハウジングの、１０Ｂ−１０Ｂ線に沿った断面図である。
【図１０Ｃ】図１０Ａの雌ハウジング及び雄ハウジングの、斜視図である。
【図１１】本発明の原理による、ＣＰＡ部材の斜視図である。
【図１２】図１１のＣＰＡ部材の斜視図である。
【図１３】図１１のＣＰＡ部材の上面図である。
【図１４】図１１のＣＰＡ部材の底面図である。
【図１５】図１１のＣＰＡ部材の前端立面図である。
【図１６】図１１のＣＰＡ部材の後端立面図である。
【図１７Ａ】図１１のＣＰＡ部材の前端立面図である。
【図１７Ｂ】図１７ＡのＣＰＡ部材の１７Ｂ−１７Ｂ線に沿った断面図である。
【図１８Ａ】図１１のＣＰＡ部材の前端立面図である。
【図１８Ｂ】図１８ＡのＣＰＡ部材の１８Ｂ−１８Ｂ線に沿った断面図である。
【図１９Ａ】図１１のＣＰＡ部材の前端立面図である。
【図１９Ｂ】図１９ＡのＣＰＡ部材の１９Ｂ−１９Ｂ線に沿った断面図である。
【発明を実施するための形態】
【００２３】
図１は、本発明の原理による、雌ハウジングの斜視図である。図１は、雌ハウジング１００が前端１０２、第２の側面１０８、上端１１０、及び前端１０２における少なくとも１つの端子開口部１１４を有することを示している。
【００２４】
本発明は、全体として雌コネクタ組立体及び雄コネクタ組立体を有する電気コネクタ装置に関する。雌コネクタ組立体は、少なくとも、雌ハウジング及びコネクタ位置保証（ＣＰＡ）部材を備える。雄コネクタ組立体は、少なくとも雄ハウジングを備える。雌コネクタ組立体及び雄コネクタ組立体は、一緒に嵌合されることができる。
【００２５】
図２は、図１の雌ハウジングの斜視図である。図２は、雌ハウジング１００が後端１０４、第１の側面１０６、後端における少なくとも１つの端子開口部１２６、コネクタラッチのボタン１４０、コネクタラッチの第１のラッチビーム１４６、コネクタラッチの第２のラッチビーム１４８、及びコネクタラッチのラッチ面１５０を有することを示している。
【００２６】
図３は、図１の雌ハウジングの斜視図である。図３は、雌ハウジング１００が「Ｔ」字型案内部材１２８、ＣＰＡ部材２００の一部を受け入れるための（第１の側面１０６近くの）上部開口部１３０、及びＣＰＡ部材２００の一部を受け入れるための（第１の側面１０６近くの）下部開口部１３２を有することを示している。
【００２７】
この高性能のＣＰＡ部材２００は、雄ハウジング４００と雌ハウジング１００との係合を保証することによって、利点を与える。雌ハウジング１００は、電気コネクタ装置をまとめてしっかりと保持するために使用される、コネクタラッチをさらに備える。端子位置保証（ＴＰＡ）部材３００は、電気コネクタ装置のための端子が適切に位置づけられることを保証するために、雌ハウジング内に挿入されることができるが、しかし、ＴＰＡ部材３００は必須ではない。
【００２８】
電気コネクタ装置は、いくつかの望ましい特性を有する。ここで、この電気コネクタ装置は、本発明の雌ハウジング１００、雄ハウジング４００、本発明のＣＰＡ部材２００、及び本発明のコネクタラッチを有する。例えば、望ましい特徴の１つは、本発明のＣＰＡ部材及び雌ハウジングが雄のインライン及び／又はヘッダに対して変更を必要とすることなく、既存の雄ハウジングと共に使用可能であることである。
【００２９】
またさらに、望ましい特徴の１つは、本発明のＣＰＡ部材及び雌ハウジングが雄ハウジングの全体的な形状に対して変更を必要とすることなく、既存の雄ハウジングと共に使用可能であることである。
【００３０】
高性能のＣＰＡ部材の利点を現在有しないいくつかの既存の雄ハウジングがある。すなわち、これらの既存の雄ハウジングは、高性能のＣＰＡ部材を収容できる構成を有しない。したがって、これらの既存の雄ハウジングは、高性能のＣＰＡ部材によって与えられる雄ハウジングと雌ハウジングとの係合の有利な保証を有しない。
【００３１】
本明細書で開示されている本発明の原理によれば、高性能のＣＰＡ部材を収容するために雌ハウジングの少なくともいくつかの内部構造が改変されており、一方、雌ハウジングの少なくともいくつかの外部構造は改変されていない。改変されなかった雌ハウジングの外部構造が理由で、本発明の雌ハウジング、及び本発明の高性能のＣＰＡ部材は、既存の雄ハウジングと共に使用されることができる。したがって、既存の雄ハウジングは、たとえ改変がされる場合でも、広範囲に改変される必要はなく、既存の雄ハウジングは、本発明の雌ハウジング及び本発明のＣＰＡ部材と共に使用されることができる。このことは有利である。以前は高性能のＣＰＡ部材と共に使用されていなかった既存の雄ハウジングが今やこのようなＣＰＡ部材と共に使用されるという利点を有することができるからである。
【００３２】
本発明の雌ハウジングは、既存の雄ハウジングとよく適合する形状を有するように特別に設計されて作られており、同時にまた高性能のＣＰＡ部材を収容できる開口部及び／又はスロットなどの特徴も有する。
【００３３】
本発明のＣＰＡ部材は高性能であり、本発明の雌ハウジング及び上記の既存の雄ハウジングとよく適合する形状及び特徴を有するように特別に設計されて作られている。
【００３４】
例えば、完全なコネクタ組立体は雄コネクタ組立体及び雌コネクタ組立体を備えることができる。雄コネクタ組立体は、雄ハウジングを備えることができ、また、１つ若しくは複数の端子位置保証（ＴＰＡ）部材、及び／又は１つ若しくは複数のコネクタ位置保証（ＣＰＡ）部材を備えてもよい。雌コネクタ組立体は、雌ハウジングを備えることができ、また、１つ若しくは複数の端子位置保証部材、及び／又は１つ若しくは複数のコネクタ位置保証部材を備えてもよい。
【００３５】
例えば、雌コネクタ組立体は、雌ハウジングと、任意追加のＴＰＡ部材と、ＣＰＡ部材と、からなってもよい。この例では、雌半組立体については、ＴＰＡ部材及びＣＰＡ部材がプリセット位置で雌ハウジング内に挿入される。次に、雌半組立体が雄ハウジング内に挿入される。
【００３６】
雄コネクタ組立体は、例えば、雄ハウジング及び任意追加のＴＰＡ部材からなってもよい。この例では、雄半組立体については、任意追加のＴＰＡ部材がプリセット位置で雄ハウジング内に挿入される。
【００３７】
雌コネクタ組立体及び雄コネクタ組立体は概して別々に組み立てられる。雌コネクタ組立体と雄コネクタ組立体との両方に端子が挿入された後、ＴＰＡ部材は端子への２次ロックを提供するために、最終ロック位置まで押されることができる。次に、両方の半組立体が嵌合されて完全なコネクタ組立体を作る。
【００３８】
雌ハウジングは、雄ハウジングとラッチして相互ロックするコネクタラッチを有する。ＣＰＡ部材は、雌コネクタ組立体と雄コネクタ組立体との両方がロックされていることの保証を与える。
【００３９】
事前に、ＣＰＡ部材は、雌ハウジング内にプリセット位置で配置される。次に、適切な場合、ＣＰＡ部材は、最終ロック位置（完全ロック位置、「セット」位置）まで押される。
【００４０】
本発明のＣＰＡを備える電気コネクタはいくつかの利点及び改良を含む。本発明のＣＰＡを備える電気コネクタは、輸送中及び取扱い中にロック・ラッチが損傷／変形することを防止するのに役立つことができ、そのようにして嵌合の問題を予防するのに役立つことができる。
【００４１】
本発明のＣＰＡを備える電気コネクタは、輸送中及び取扱い中にＣＰＡ部材が損傷／変形することを防止するのに役立つことができ、そのようにして嵌合の問題を予防するのに役立つことができる。
【００４２】
本発明のＣＰＡを備える電気コネクタは、ユーザが２次的な操作に従事することが必要になることを防ぐのに役立つことができる。
【００４３】
本発明のＣＰＡを備える電気コネクタは、例えば、輸送中及び／又は取扱い中にＣＰＡ部材が最終ロック位置に不意に移動することに関連する問題を予防するのに役立つから、ユーザからの苦情を予防するのに役立つことができる。
【００４４】
本発明のＣＰＡを備える電気コネクタは、雌ハウジングと雄ハウジングとが互いに係合しているときに、優れた可聴クリック音、適度な補強、相互の保持、良好な機械的強度をもたらすように設計された、改良されたコネクタ組立体を提供し、また、オーバービルドで雌ハウジングのコネクタラッチを製造して、次に、組立て中にコネクタラッチのボタンをプリセット位置まで押すことによる極めて容易な成形への熟慮をもたらす。
【００４５】
本発明のＣＰＡを備える電気コネクタが製造された後、コネクタラッチは、伸びて、かつ弛緩した非偏向位置にある。コネクタラッチがその位置にあるとき、コネクタラッチのボタン１４０は、雌ハウジング１００の上端１１０の上方に上向きに伸びている。ボタン１４０は、ラッチビーム１４６及び１４８によって、伸びて、かつ弛緩した非偏向位置で支えられる。
【００４６】
上記で示されているように、本発明のＣＰＡを備える電気コネクタが製造された後、コネクタラッチは、伸びて、かつ弛緩した非偏向位置にある。次に、コネクタラッチは、嵌合前の偏向工程に置かれる。コネクタラッチを曲げて、そのコネクタラッチをプレロード位置でロックするためである。
【００４７】
コネクタラッチの、嵌合前の偏向工程は、ボタン１４０を「Ｔ」字型案内部材１２８に向かって下向きに強く押すことを含むことができる。
【００４８】
嵌合前の偏向工程が完了した後、コネクタラッチは、プレロード位置でロックされるのであり、プレロードされたコネクタラッチと呼ばれることができる。
【００４９】
例えば、図１〜図４は、本発明の原理によるコネクタラッチを有する雌ハウジング１００を示しており、伸びて、かつ弛緩した非偏向位置にあるコネクタラッチを示している。
【００５０】
例えば、図７、図８Ａ、及び図８Ｂは、本発明の原理によるコネクタラッチを有する雌ハウジング１００を示しており、プレロード位置でロックされたコネクタラッチを示している。例えば、図７、図８Ａ、及び図８Ｂは、プリセット位置にあるＣＰＡ部材２００も示している。
【００５１】
図４は、図１の雌ハウジングの前端立面図である。図４は、雌ハウジング１００がＣＰＡ部材２００の一部を受け入れるための（第２の側面１０８近くの）上部開口部１３４を有し、かつ、ＣＰＡ部材２００の一部を受け入れるための（第２の側面１０８近くの）下部開口部１３６も有することを示している。
【００５２】
図４は、上部開口部１３０が上部壁１３０ａ及び下部壁１３０ｂを有し、下部開口部１３２が上部壁１３２ａ及び下部壁１３２ｂを有し、上部開口部１３４が上部壁１３４ａ及び下部壁１３４ｂを有し、下部開口部１３６が上部壁１３６ａ及び下部壁１３６ｂを有することを示している。
【００５３】
図５Ａは、図１の雌ハウジングの前端立面図である。図５は、雌ハウジング１００の内部に突起１２２があることを示している。図５Ｂは、図５Ａの雌ハウジングの５Ｂ−５Ｂ線に沿った断面図である。図５Ｃは、図５Ａの雌ハウジングの５Ｂ−５Ｂ線に沿った斜視図である。
【００５４】
図６Ａは、図１の雌ハウジングの前端立面図である。図６Ｂは、図６Ａの雌ハウジングの６Ｂ−６Ｂ線に沿った断面図である。図６Ｂは、雌ハウジング２００が底部１１２を有することを示している。図６Ｃは、図６Ａの雌ハウジングの６Ｂ−６Ｂ線に沿った斜視図である。
【００５５】
図７は、端子位置保証（ＴＰＡ）部材及びコネクタ位置保証（ＣＰＡ）部材を伴う図１の雌ハウジングの斜視図である。図７は、雌ハウジング１００の後端１０４内に挿入されたＴＰＡ部材３００を示している。
【００５６】
図７は、雌ハウジング１００の前端１０２内に挿入されたＣＰＡ部材２００を示している。ＣＰＡ部材２００は、プリセット位置で図示されている。図７は、ＣＰＡ部材２００の前縁２０２、ＣＰＡ部材２００の中央ビームの前先端２０５、及びＣＰＡ部材２００の後部直立部分２１４を示している。
【００５７】
プリセット位置にあるＣＰＡ部材２００を描写している図７に示されているように、前先端２０５は、コネクタラッチのラッチ面１５０と、コネクタラッチのボタン１４０との間に配置されている。
【００５８】
図８Ａは、ＴＰＡ部材及びＣＰＡ部材を伴う図１の雌ハウジングの後端立面図である。図８Ｂは、図８Ａの雌ハウジングの８Ｂ−８Ｂ線に沿った断面図である。図８Ｂは、プリセット位置にあるＣＰＡ部材２００を描写している。図８Ｂは、ＣＰＡ部材２００の前先端２０５がコネクタラッチのラッチ面１５０と、コネクタラッチのボタン１４０と、の間に配置されていることを示している。
【００５９】
図８Ｂに示されているように、ＣＰＡ部材２００の前先端２０５は、ラッチ面１５０と係合している。図８Ｂは、ＣＰＡ部材２００がプリセット位置まで雌ハウジング１００の前端１０２内に部分的に挿入された状態を描写している。図８Ｂは、ＣＰＡ部材２００が完全ロック位置（「セット」位置）まで、雌ハウジング１００の前端１０２内に完全に挿入された状態を描写しているのではない。
【００６０】
プリセット位置では、図８Ｂに示されているように、雌ハウジング１００のラッチ面１５０は、ＣＰＡ部材２００の前先端２０５と係合して、それにより、ＣＰＡ部材２００がさらに雌ハウジング１００の中へ容易に移動するのを防止している。またさらに、プリセット位置では、図８Ｂに示されているように、雌ハウジング１００の突起１２２がＣＰＡ部材２００の前縁２０２と係合して、それにより、ＣＰＡ部材２００が雌ハウジング１００から外へ容易に移動するのを防止している。
【００６１】
図９Ａは、ＴＰＡ部材及びＣＰＡ部材を伴う図１の雌ハウジングの後端立面図である。図９Ｂは、図９Ａの雌ハウジングの９Ｂ−９Ｂ線に沿った断面図である。
【００６２】
図９Ｂは、完全ロック位置（「セット」位置）にある、ＣＰＡ部材２００を描写している。図９Ｂは、コネクタラッチのラッチ面１５０がＣＰＡ部材２００の前先端２０５と、コネクタラッチのボタン１４０との間に配置されていることを示している。
【００６３】
図９Ｂに示されているように、ＣＰＡ部材２００の前先端２０５は、ラッチ面１５０と係合している。図９Ｂは、ＣＰＡ部材２００が完全ロック位置（「セット」位置）まで、雌ハウジング１００の前端１０２内に完全に挿入された状態を描写している。
【００６４】
完全ロック位置では、図９Ｂに示されているように、雌ハウジング１００のラッチ面１５０は、ＣＰＡ部材２００の前先端２０５の側面と係合して、それにより、ＣＰＡ部材２００が雌ハウジング１００から外へ容易に移動するのを防止している。
【００６５】
またさらに、完全ロック位置では、図９Ｂに示されているように、雌ハウジング１００の突起１２２がＣＰＡ部材２００の前先端２０５の底部と係合して、それにより、前先端２０５が下向きに容易に移動するのを防止している。このことは、前先端２０５が容易にラッチ面１５０の下になることができないことを意味する。前先端２０５は、下向きに容易に移動することを防止されているからである。このようにして、ＣＰＡ部材２００は、雌ハウジング１００から外へ容易に移動することを防止されている。
【００６６】
図１０Ａは、雄ハウジングを伴う図１の雌ハウジングの後端立面図である。図１０Ｂは、図１０Ａの雌ハウジング及び雄ハウジングの、１０Ｂ−１０Ｂ線に沿った断面図である。図１０Ｃは、図１０Ａの雌ハウジング及び雄ハウジングの、斜視図である。
【００６７】
図１０Ａ、図１０Ｂ、及び図１０Ｃは、前端４０２、後端４０４、第１の側面４０６、上端４１０、底部４１２、上端４１０の開口部４１４、及び後端４０４の少なくとも１つの端子開口部４２６を有する雄ハウジング４００を示している。
【００６８】
図１０Ｂ及び図１０Ｃに示されているように、ＣＰＡ部材２００の前先端２０５、及び雌ハウジング１００のラッチ面１５０は、両方とも開口部４１４内に示されており、ラッチ面１５０は、前先端２０５とボタン１４０との間に配置されている。開口部４１４は、ユーザが雌ハウジング１００、ＣＰＡ部材２００、及び雄ハウジング４００が完全ロック位置（「セット」位置）にあることを視覚的に確認することを可能にしている。
【００６９】
図１１は、本発明の原理によるＣＰＡ部材の斜視図である。図１１は、コネクタ位置保証（ＣＰＡ）部材２００が前縁２０２、中央開口部２０３、中央ビーム２０４、中央ビーム２０４上の前先端２０５、ＣＰＡ部材２００の第１の側面上の上部アーム２０６、ＣＰＡ部材２００の第１の側面上の下部アーム２１６、及びＣＰＡ部材２００の第２の側面上の上部アーム２０８を有することを示している。中央開口部２０３は、中央ビーム２０４の近くの空間を提供して、中央ビーム２０４が上下に動くことを許している。
【００７０】
図１１に示されているように、上部アーム２０６は上面２０６ａを有する。同様に、上部アーム２０８は上面２０８ａを有する。下部アーム２１６は上面２１６ａを有する。前先端２０５の第１の側面はウイング２３６を有する。
【００７１】
図１２は、図１１のＣＰＡ部材の斜視図である。図１２は、ＣＰＡ部材２００の後部直立部分２１４、ＣＰＡ部材２００の第２の側面上の下部アーム２１８、下部アーム２１８の上面２１８ａ、及び前先端２０５の第２の側面上のウイング２３８を示している。
【００７２】
図１３は、図１１のＣＰＡ部材の上面図である。図１４は、図１１のＣＰＡ部材の底面図である。
【００７３】
図１５は、図１１のＣＰＡ部材の前端立面図である。図１５は、図１１のＣＰＡ部材２００が「Ｔ」字型開口部２２８を形成していることを示している。図１５はまた、上部アーム２０６の下面２０６ｂ、上部アーム２０８の下面２０８ｂ、ＣＰＡ部材２００の上端２１０、及びＣＰＡ部材２００の底部２１２も示している。
【００７４】
図１６は、図１１のＣＰＡ部材の後端立面図である。図１７Ａは、図１１のＣＰＡ部材の前端立面図である。図１７Ｂは、図１７ＡのＣＰＡ部材の１７Ｂ−１７Ｂ線に沿った断面図である。図１８Ａは、図１１のＣＰＡ部材の前端立面図である。図１８Ｂは、図１８ＡのＣＰＡ部材の１８Ｂ−１８Ｂ線に沿った断面図である。図１９Ａは、図１１のＣＰＡ部材の前端立面図である。図１９Ｂは、図１９ＡのＣＰＡ部材の１９Ｂ−１９Ｂ線に沿った断面図である。
【００７５】
雌ハウジング１００は、雄ハウジング４００とラッチして相互ロックするコネクタラッチを有する。ＣＰＡ部材２００は、雌ハウジングと雄ハウジングとの両方がロックされていることの保証を与える。次に、ＣＰＡ部材２００は、最終ロック位置（「セット」位置）まで押される。
【００７６】
本発明のＣＰＡを備える電気コネクタはいくつかの利点及び改良を含む。本発明のＣＰＡを備える電気コネクタは、輸送中及び取扱い中にロック・ラッチが損傷／変形することを防止するのに役立つことができ、そのようにして嵌合の問題を予防するのに役立つことができる。
【００７７】
本発明のＣＰＡを備える電気コネクタは、輸送中及び取扱い中にＣＰＡ部材が損傷／変形することを防止するのに役立つことができ、そのようにして嵌合の問題を予防するのに役立つことができる。
【００７８】
本発明のＣＰＡを備える電気コネクタは、ユーザが２次的な操作を行うことが必要になることを防ぐのに役立つことができる。
【００７９】
本発明のＣＰＡを備える電気コネクタは、例えば、輸送中及び／又は取扱い中にＣＰＡ部材が最終ロック位置に不意に移動することに関連する問題を予防するのに役立つから、ユーザからの苦情を予防するのに役立つことができる。
【００８０】
本発明のＣＰＡを備える電気コネクタは、改良されたコネクタ組立体を提供する。この改良されたコネクタ組立体は、雌ハウジングと雄ハウジングとが互いに係合しているときに、優れた可聴クリック音、適度な補強、相互の保持、良好な機械的強度をもたらすように設計された、雌ハウジング及びＣＰＡ部材、並びにオーバービルドで雌ハウジングのコネクタラッチを製造して、次に、組立て中にコネクタラッチのボタンをプリセット位置まで押すことによる極めて容易な成形への熟慮を含む。
【００８１】
本発明のＣＰＡを備える電気コネクタは、ＣＰＡ部材２００が輸送中及び取扱い中にプリセット位置にとどまるために役立つことができる。
【００８２】
本発明のＣＰＡを備える電気コネクタは、例えば輸送中及び取扱い中にＣＰＡ部材が最終ロック位置内へ不意に移動された後に、ＣＰＡ部材を最終ロック位置からプリセット位置へ移動させようとするなどの、２次的な操作をユーザが行う必要を予防することができる。
【００８３】
本発明のＣＰＡを備える電気コネクタは、他のケーブルとのひっかかりを回避するのに役立つから、顧客の苦情を予防するのに役立つことができる。
【００８４】
本発明のＣＰＡを備える電気コネクタは、トレイ包装が必要になることを防ぐのに役立つことができる。
【００８５】
図８Ｂに示されているように、ＣＰＡ部材２００がプリセット位置にあるとき、前縁２０２は突起１２２の左側にあり、前先端２０５はラッチ面１５０の右側にある。
【００８６】
図９Ｂの下図に示されているように、ＣＰＡ部材２００が最終ロック位置にあるとき、前縁２０２は図示位置にあって突起１２２から間隔を置かれており、前先端２０５はラッチ面１５０の左側にある。
【００８７】
ＣＰＡ部材２００は、典型的には、雌ハウジング２００が雄ハウジング４００と嵌合された後でなければ、雌ハウジング２００の前端１０２内に挿入されない。例えば、図７〜図９Ｂは、雌ハウジング１００がまだ雄ハウジング４００と嵌合されていないときにＣＰＡ部材２００が、雌ハウジング１００の前端１０２内に挿入された状態を描写しているように見える潜在的な可能性があり、したがって、例示だけを目的としている。
【００８８】
ＣＰＡ部材２００を雌ハウジング１００と位置合わせし、かつ嵌合することについてここでさらに説明する。図３は、雌ハウジング１００が雌ハウジング１００の第１の側面１０６の近くに上部開口部１３０を形成していることを示している。図１１は、ＣＰＡ部材２００がＣＰＡ部材２００の第１の側面上に、上部アーム２０６を有することを示している。
【００８９】
ＣＰＡ部材２００が雌ハウジング１００の前端１０２内に挿入されるとき、図８Ｂに示されている配置に到達するように意図された方法で進むと同時に、上部アーム２０６が上部開口部１３０内に入り、上部アーム２０８が上部開口部１３４内に入り、下部アーム２１６が下部開口部１３２内に入り、かつ下部アーム２１８が下部開口部１３６に入る。これらの特徴は、安定性及び確実な嵌合性を提供するのに役立つ。
【００９０】
このとき、上部アーム２０６の上面２０６ａは、上部開口部１３０の上部壁１３０ａと係合して、上部開口部１３０の上部壁１３０ａによって案内される。上部アーム２０６の下面２０６ｂは、上部開口部１３０の下部壁１３０ｂと係合して、上部開口部１３０の下部壁１３０ｂによって案内される。上部アーム２０８の上面２０８ａは、上部開口部１３４の上部壁１３４ａと係合して、上部開口部１３４の上部壁１３４ａによって案内される。上部アーム２０８の下面２０８ｂは、上部開口部１３４の下部壁１３４ｂと係合して、上部開口部１３４の下部壁１３４ｂによって案内される。これらの特徴は、安定性及び確実な嵌合性を提供するのに役立つ。
【００９１】
またさらに、このとき、ＣＰＡ部材２００の「Ｔ」字型開口部２２８の少なくとも１つの面は、雌ハウジング１００の「Ｔ」字型案内部材１２８の少なくとも１つの面と係合して、当該少なくとも１つの面によって案内される。ＣＰＡ部材２００の「Ｔ」字型開口部２２８は、例えば図１７Ａに示されている。雌ハウジング１００の「Ｔ」字型案内部材１２８は、例えば図３及び図４に示されている。これらの機能は、安定性と確実な嵌合性を提供するのに役立つ。
【００９２】
加えて、このとき、下部アーム２１６の上面２１６ａは、雌ハウジング１００の面と係合して、当該面によって案内され、また、下部アーム２１８の上面２１８ａも、雌ハウジング１００の面と係合して、この面によって案内される。これらの機能は、安定性と確実な嵌合性を提供するのに役立つ。
【００９３】
ウイング２３６は、ラッチビーム１４６の下面と係合する。ウイング２３８は、ラッチビーム１４８の下面と係合する。ウイング２３６及び２３８は、前先端２０５がラッチ面１５０の上に上がることを防ぐ。
【００９４】
前先端２０５は、ＣＰＡ部材２００が（図８Ｂに示されている）プリセット位置から、（図９Ｂに示されている）セット位置まで移動されるとき、ラッチ面１５０の下を行くように設計されている。
【００９５】
前先端２０５は、ＣＰＡ部材２００がプリセット位置にあるとき、図８Ｂに示されているように、ラッチ面１５０の右側に係合するように設計されている。つまり、ＣＰＡ部材２００が雌ハウジング１００内へと前向きに挿入された後において、前先端２０５は、図８Ｂに示されているように、ＣＰＡ部材２００がプリセット位置にあるとき、雌ハウジング１００内へ容易にさらに前方に移動しないようにブロックされるように設計されている。
【００９６】
前先端２０５は、ＣＰＡ部材２００がセット位置にあるとき、図９Ｂに示されているように、ラッチ面１５０の左側に係合するように設計されている。つまり、ＣＰＡ部材２００が雌ハウジング１００内へと前向きに挿入された後において、前先端２０５は、図８Ｂに示されているように、ＣＰＡ部材２００がセット位置にあるとき、雌ハウジング１００から外へ容易に後方に移動しないようにブロックされるように、設計されている。
【００９７】
前述の説明は、本発明の好ましい実施形態に向けられているが、他の変形及び改変が当業者に明らかであり、本発明の精神又は範囲から逸脱することなくなされ得ることに留意されたい。さらにその上、本発明の一実施形態に関連して説明されている特徴は、たとえ上記で明示的に表明されていない場合でも、他の実施形態と組み合わせて使用され得る。
【符号の説明】
【００９８】
１００  雌ハウジング
１０２  雌ハウジング１００の前端
１０４  雌ハウジング１００の後端
１０６  雌ハウジング１００の第１の側面
１０８  雌ハウジング１００の第２の側面
１１０  雌ハウジング１００の上端
１１２  雌ハウジング１００の底部
１１４  前端１０２上の端子開口部
１２２  雌ハウジング１００の内部の突起
１２６  後端１０４上の端子開口部
１２８  雌ハウジング１００上の「Ｔ」字型案内部材
１３０  上部アーム２０６を受け入れるための、第１の側面１０６の近くの上部開口部
１３０ａ  上部開口部１３０の上部壁
１３０ｂ  上部開口部１３０の下部壁
１３２  下部アーム２１６を受け入れるための、第１の側面１０６の近くの下部開口部
１３２ａ  下部開口部１３２の上部壁
１３２ｂ  下部開口部１３２の下部壁
１３４  上部アーム２０８を受け入れるための、第２の側面１０８の近くの上部開口部
１３４ａ  上部開口部１３４の上部壁
１３４ｂ  上部開口部１３４の下部壁
１３６  下部アーム２１８を受け入れるための、第２の側面１０８の近くの下部開口部
１３６ａ  下部開口部１３６の上部壁
１３６ｂ  下部開口部１３６の下部壁
１４０  雌ハウジング１００上の、コネクタラッチのボタン
１４６  雌ハウジング１００上の、コネクタラッチの第１のラッチビーム
１４８  雌ハウジング１００上の、コネクタラッチの第２のラッチビーム
１５０  雌ハウジング１００上の、コネクタラッチのラッチ面
２００  ＣＰＡ部材
２０２  ＣＰＡ部材２００の前縁
２０３  ＣＰＡ部材２００によって形成された中央開口部
２０４  ＣＰＡ部材２００の中央ビーム
２０５  中央ビーム２０４の前先端
２０６  ＣＰＡ部材２００の第１の側面上の上部アーム
２０６ａ  上部アーム２０６の上面
２０６ｂ  上部アーム２０６の下面
２０８  ＣＰＡ部材２００の第２の側面上の上部アーム
２０８ａ  上部アーム２０８の上面
２０８ｂ  上部アーム２０８の下面
２１０  ＣＰＡ部材２００の上端
２１２  ＣＰＡ部材２００の底部
２１４  ＣＰＡ部材２００の後部直立部分
２１６  ＣＰＡ部材２００の第１の側面上の下部アーム
２１６ａ  下部アーム２１６の上面
２１８  ＣＰＡ部材２００の第２の側面上の下部アーム
２１８ａ  下部アーム２１８の上面
２２８  ＣＰＡ部材２００によって形成された「Ｔ」字型開口部
２３６  前先端２０５の第１の側面上のウイング
２３８  前先端２０５の第２の側面上のウイング
３００  ＴＰＡ部材
４００  雄ハウジング
４０２  雄ハウジング４００の前端
４０４  雄ハウジング４００の後端
４０６  雄ハウジング４００の第１の側面
４１０  雄ハウジング４００の上端
４１２  雄ハウジング４００の底部
４１４  雄ハウジング４００の上端に形成された開口部
４２６  後端４０４上の端子開口部
【図１】
2021514525.tif 000003
【図２】
2021514525.tif 000004
【図３】
2021514525.tif 000005
【図４】
2021514525.tif 000006
【図５Ａ】
2021514525.tif 000007
【図５Ｂ】
2021514525.tif 000008
【図５Ｃ】
2021514525.tif 000009
【図６Ａ】
2021514525.tif 000010
【図６Ｂ】
2021514525.tif 000011
【図６Ｃ】
2021514525.tif 000012
【図７】
2021514525.tif 000013
【図８Ａ】
2021514525.tif 000014
【図８Ｂ】
2021514525.tif 000015
【図９Ａ】
2021514525.tif 000016
【図９Ｂ】
2021514525.tif 000017
【図１０Ａ】
2021514525.tif 000018
【図１０Ｂ】
2021514525.tif 000019
【図１０Ｃ】
2021514525.tif 000020
【図１１】
2021514525.tif 000021
【図１２】
2021514525.tif 000022
【図１３】
2021514525.tif 000023
【図１４】
2021514525.tif 000024
【図１５】
2021514525.tif 000025
【図１６】
2021514525.tif 000026
【図１７Ａ】
2021514525.tif 000027
【図１７Ｂ】
2021514525.tif 000028
【図１８Ａ】
2021514525.tif 000029
【図１８Ｂ】
2021514525.tif 000030
【図１９Ａ】
2021514525.tif 000031
【図１９Ｂ】
2021514525.tif 000032
【国際調査報告】
2021514525.tif 000033